(57)【要約】【課題】断層画像データ上における被検査物の傾きに関わらず、適切な被検査物の平面画像データを生成する。【解決手段】眼科装置は、断層画像データにおける被検査物の傾きを示す情報に基づいて、断層画像データの輝度情報を統合する方向を決定する（ステップＳ１０３）。そして、眼科装置は、決定した方向に沿って断層画像データの輝度情報を統合することにより、被検査物の平面画像データを生成する（ステップＳ１０４）。【選択図】図５
2015033397.tif 000002
【特許請求の範囲】
【請求項１】
被検査物の断層画像データを取得する取得手段と、
前記断層画像データにおける前記被検査物の傾きを示す情報に基づいて、前記断層画像データの輝度情報を統合する方向を決定する決定手段と、
前記決定手段により決定された方向に沿って前記断層画像データの輝度情報を統合することにより、前記被検査物の平面画像データを生成する生成手段とを有することを特徴とする画像処理装置。
【請求項２】
前記決定手段は、前記被検査物の傾きを示す情報に基づいて、前記断層画像データの輝度情報を統合する方向として前記被検査物に対する略垂直方向を決定することを特徴とする請求項１に記載の画像処理装置。
【請求項３】
前記決定手段は、前記被検査物の所定の複数の部位に対応する複数の略垂直方向を、前記断層画像データの輝度情報を統合する方向として決定することを特徴とする請求項２に記載の画像処理装置。
【請求項４】
前記断層画像データにおける特定の領域を、前記決定手段により決定された方向に沿って前記平面画像データに投影する投影手段を更に有することを特徴とする請求項１乃至３の何れか１項に記載の画像処理装置。
【請求項５】
前記断層画像データに基づいて、前記特定の領域を判定する判定手段を更に有することを特徴とする請求項４に記載の画像処理装置。
【請求項６】
前記被検査物は、被検眼であり、
前記判定手段は、前記断層画像データに形成された前記被検眼の眼底の網膜色素上皮に基づいて、前記特定の領域として前記眼底の視神経乳頭を判定することを特徴とする請求項５に記載の画像処理装置。
【請求項７】
前記判定手段は、前記視神経乳頭に基づいて、更に前記特定の領域として視神経乳頭陥凹を判定することを特徴とする請求項６に記載の画像処理装置。
【請求項８】
前記被検査物は、被検眼であり、
前記断層画像データに形成された前記被検眼の眼底のブルッフ膜又は網膜色素上皮に基づいて、前記断層画像データにおける前記眼底の傾きを示す情報を測定する測定手段を更に有することを特徴とする請求項１乃至７の何れか１項に記載の画像処理装置。
【請求項９】
前記被検査物は、被検眼であり、
前記断層画像データに形成された前記被検眼の前眼部の角膜又は水晶体に基づいて、前記断層画像における前記前眼部の傾きを示す情報を測定する測定手段を更に有することを特徴とする請求項１乃至７の何れか１項に記載の画像処理装置。
【請求項１０】
請求項１乃至９の何れか１項に記載の画像処理装置と眼科撮影装置とが通信可能に接続された画像処理システムであって、
前記画像処理装置の前記取得手段は、前記眼科撮影装置により撮影された前記被検査物の前記断層画像データを取得することを特徴とする画像処理システム。
【請求項１１】
画像処理装置によって実行される画像処理方法であって、
被検査物の断層画像データを取得する取得ステップと、
前記断層画像データにおける前記被検査物の傾きを示す情報に基づいて、前記断層画像データの輝度情報を統合する方向を決定する決定ステップと、
前記決定ステップにより決定された方向に沿って前記断層画像データの輝度情報を統合することにより、前記被検査物の平面画像データを生成する生成ステップとを有することを特徴とする画像処理方法。
【請求項１２】
前記決定ステップは、前記被検査物の傾きを示す情報に基づいて、前記断層画像データの輝度情報を統合する方向として前記被検査物に対する略垂直方向を決定することを特徴とする請求項１１に記載の画像処理方法。
【請求項１３】
前記決定ステップは、前記被検査物の所定の複数の部位に対応する複数の略垂直方向を、前記断層画像データの輝度情報を統合する方向として決定することを特徴とする請求項１２に記載の画像処理方法。
【請求項１４】
前記断層画像データにおける特定の領域を、前記決定ステップにより決定された方向に沿って前記平面画像データに投影する投影ステップを更に有することを特徴とする請求項１１乃至１３の何れか１項に記載の画像処理方法。
【請求項１５】
前記断層画像データに基づいて、前記特定の領域を判定する判定ステップを更に有することを特徴とする請求項１４に記載の画像処理方法。
【請求項１６】
前記被検査物は、被検眼であり、
前記判定ステップは、前記断層画像データに形成された前記被検眼の眼底の網膜色素上皮に基づいて、前記特定の領域として前記眼底の視神経乳頭を判定することを特徴とする請求項１５に記載の画像処理方法。
【請求項１７】
前記判定ステップは、前記視神経乳頭に基づいて、更に前記特定の領域として視神経乳頭陥凹を判定することを特徴とする請求項１６に記載の画像処理方法。
【請求項１８】
前記被検査物は、被検眼であり、
前記断層画像データに形成された前記被検眼の眼底のブルッフ膜又は網膜色素上皮に基づいて、前記断層画像データにおける前記眼底の傾きを示す情報を測定する測定ステップを更に有することを特徴とする請求項１１乃至１７の何れか１項に記載の画像処理方法。
【請求項１９】
前記被検査物は、被検眼であり、
前記断層画像データに形成された前記被検眼の前眼部の角膜又は水晶体に基づいて、前記断層画像における前記前眼部の傾きを示す情報を測定する測定ステップを更に有することを特徴とする請求項１１乃至１７の何れか１項に記載の画像処理方法。
【請求項２０】
請求項１１乃至１９の何れか１項に記載の画像処理方法をコンピュータに実行させるためのプログラム。
【発明の詳細な説明】
【技術分野】
【０００１】
本発明は、被検査物の平面画像データを生成する技術に関するものである。
【背景技術】
【０００２】
現在、多波長光波干渉を利用した光コヒーレンストモグラフィ（ＯＣＴ：Optical Coherence Tomography）による光干渉断層撮影装置は、例えば内臓や網膜に関する情報を得るために人体に対する適用分野を広げつつある。
【０００３】
光干渉断層撮影装置は、低コヒーレント光である測定光をサンプルに照射し、そのサンプルからの後方散乱光を、干渉系を用いることで測定することを可能にした装置である。そして、眼に適用した場合には、測定光を被検眼上で走査することにより、被検眼の断層画像データを高解像度に撮像することが可能であることから、網膜の眼科診断等において広く利用されている。
【０００４】
光干渉断層撮影装置は、眼底上の一点に測定光を照射することで、眼底のある一点の深さ方向の情報（Ａスキャン情報）を得ることができる。そして、測定光を走査しながら複数のＡスキャン情報を取得することにより、網膜の深さ方向の断層画像データ（Ｂスキャン情報）を取得することができる。
【０００５】
さらに、光干渉断層撮影装置は、走査位置をずらしながら複数のＢスキャン情報を取得することが可能である。例えば、縦方向に走査位置をずらしながら水平方向のＢスキャン情報を数百回取得することにより、複数の断層画像データからなる網膜の３次元の断層画像データを得ることができる。このようにして取得された複数の断層画像データは、網膜全体の深さ方向の情報を持ち、網膜疾患の診断に大変有用な情報を提供することができる。
【０００６】
ここで、特許文献１には、複数の断層画像データから疑似的な眼底平面画像データ（強度画像データ）を再構成する技術が開示されている。即ち、特許文献１に開示される技術では、一つのＡスキャン情報から得られる深さ方向の複数の情報を一つの情報に統合し、それら統合された情報を全てのＡスキャン情報について取得することにより、断層画像データのみで網膜の強度画像データを生成することを可能にしている。
【先行技術文献】
【特許文献】
【０００７】
【特許文献１】米国特許出願公開第２００６／１１９８５８号明細書
【発明の概要】
【発明が解決しようとする課題】
【０００８】
しかしながら、特許文献１に開示される技術では、断層画像データに対して垂直方向（Ａスキャン方向）に情報を統合することで強度画像データを生成するため、強度画像データ上に形成される網膜の大きさが断層画像データ上での網膜の傾きに応じて変化してしまうという問題があった。医師は、強度画像データ上で網膜の構造物や病変の大きさを観察するため、断層画像データ上での網膜の傾きに応じて構造物や病変の大きさが変化してしまうと診断に支障を来す恐れがある。
【０００９】
そこで、本発明の目的は、断層画像データ上における被検査物の傾きに関わらず、適切な被検査物の平面画像データを生成することにある。
【課題を解決するための手段】
【００１０】
本発明の画像処理装置は、被検査物の断層画像データを取得する取得手段と、前記断層画像データにおける前記被検査物の傾きを示す情報に基づいて、前記断層画像データの輝度情報を統合する方向を決定する決定手段と、前記決定手段により決定された方向に沿って前記断層画像データの輝度情報を統合することにより、前記被検査物の平面画像データを生成する生成手段とを有することを特徴とする。
【発明の効果】
【００１１】
本発明によれば、断層画像データ上における被検査物の傾きに関わらず、適切な被検査物の平面画像データを生成することが可能となる。
【図面の簡単な説明】
【００１２】
【図１】本発明の実施形態に係る眼科装置の構成を示す図である。
【図２】強度画像データの生成方法を説明するための図である。
【図３】眼底断層画像データ上で網膜が水平に形成されている場合に生成される強度画像データの例を示す図である。
【図４】眼底断層画像データの水平方向に対して網膜が傾いて形成されている場合に生成される強度画像データの例を示す図である。
【図５】本発明の第１の実施形態におけるコンピュータの処理を示すフローチャートである。
【図６】本発明の第１の実施形態における眼底断層画像データの輝度情報を統合する方向を説明するための図である。
【図７】本発明の第１の実施形態における強度画像データの生成方法を説明するための図である。
【図８】眼底断層画像データ上の領域を強度画像データに投影する方法を説明するための図である。
【図９】本発明の第２の実施形態における強度画像データの生成方法を説明するための図である。
【図１０】視神経乳頭と視神経乳頭陥凹との形状を強度画像データに投影した例を示す図である。
【発明を実施するための形態】
【００１３】
以下、本発明を適用した好適な実施形態を、添付図面を参照しながら詳細に説明する。なお、本実施形態における測定対象は、被検眼以外にも、被検体の内蔵や皮膚等の被検査物であれば何でも良い。また、本実施形態における装置は、眼科装置以外にも、光干渉断層撮影装置や、断層画像を処理する画像処理装置（例えば、コンピュータ１００３）であれば何でも良い。
【００１４】
＜第１の実施形態＞
（眼科装置の構成）
先ず、本発明の第１の実施形態について説明する。図１は、本発明の第１の実施形態に係る眼科装置の構成を示す図である。即ち、図１（ａ）は、本実施形態に係る眼科装置の外観構成を示しており、図１（ｂ）は、本実施形態に係る眼科装置の光学ヘッド及びベース部の内部構成を示している。なお、上記眼科装置は、画像処理システムの例となる構成である。
【００１５】
図１（ａ）において、１００は眼科装置である。１０００は、前眼部の表面を示す前眼部表面画像データ、眼底の表面を示す眼底平面画像データ、及び、眼底の断層を示す眼底断層画像データを撮像するための測定光学系である光学ヘッドである。１００２は、不図示のモータを用いて、光学ヘッド１０００を図１（ａ）のｘｙｚ方向に移動させるステージ部である。１００１は、後述の分光器を内蔵するベース部である。
【００１６】
１００３は、ステージ部１００２による光学ヘッド１０００の移動処理を制御するとともに、眼底断層画像データの撮像処理を制御するコンピュータである。１００４は、コンピュータ１００３に内蔵され、被検者情報や眼底断層画像データを撮像するためのプログラム等を記憶するハードディスクである。１００５は、表示部としてのモニタである。１００６は、検者がコンピュータ１００３に対して指示を行うための入力部であり、具体的にはキーボード及びマウスから構成される。１００７は顎台であり、被検者の顎及び額を固定することにより、被検者の眼（被検眼）の固定を促す。１００８は外部固視灯であり、被検者の眼を固視させるために使用される。
【００１７】
次に、図１（ｂ）を参照しながら、光学ヘッド１０００及びベース部１００１の内部構成について説明する。先ず、光学ヘッド１０００の内部構成について説明する。被検眼Ｅに対向して対物レンズ１３５−１が設置され、その光軸上で第１のダイクロイックミラー１３２−１及び第２のダイクロイックミラー１３２−２により、波長帯域毎に、ＯＣＴ光学系の光路３５１、眼底観察及び固視灯用光路３５２、並びに、前眼部観察用光路３５３に分岐される。ここで１３５−３及び１３５−４はレンズであり、レンズ１３５−３は、固視灯１９１及び眼底観察用ＣＣＤ１７２の合焦調整のため、不図示のモータによって駆動される。
【００１８】
レンズ１３５−４と第３のダイクロイックミラー１３２−３との間には、穴あきミラー３０３が配置され、光路３５２は、光路３５５及び光路３５４に分岐される。光路３５４は、被検眼Ｅの眼底を照明する照明光学系を形成しており、被検眼Ｅの位置合わせに用いられる眼底観察用照明光源であるＬＥＤ光源３１６、及び、被検眼Ｅの眼底画像データの撮像に用いられるストロボ管３１４が設置されている。３１３及び３１５はコンデンサレンズであり、３１７はミラーである。ＬＥＤ光源３１６とストロボ管３１４とからの照明光はリングスリット３１２によってリング状の光束となり、孔あきミラー３０３によって反射され、被検眼Ｅの網膜Ｅｒを照明する。ここで、３０９及び３１１はレンズである。ＬＥＤ光源３１６は、７８０ｎｍ付近を中心波長とするのである。なお、網膜Ｅｒは、被検査物の例である。
【００１９】
光路３５５上の穴あきミラー３０３以降は、第３のダイクロイックミラー１３２−３によって、波長帯域毎に、眼底観察用ＣＣＤ１７２への光路と固視灯１９１への光路とに分岐される。眼底観察用ＣＣＤ１７２は、眼底観察用照明光であるＬＥＤ光源３１６の中心波長（７８０ｎｍ）付近に感度を持つものであり、ＣＣＤ制御部１０２に接続されている。一方、固視灯１９１は可視光を発生して被検者の固視を促すものであり、固視灯制御部１０３に接続されている。
【００２０】
ＣＣＤ制御部１０２及び固視灯制御部１０３は、演算部１０４に接続されており、演算部１０４を介して、ベース部１００１とコンピュータ１００３との間でデータのやりとりが行われる。光路３５３において、１３５−２はレンズであり、１７１は前眼観察用ＣＣＤである。前眼観察用ＣＣＤ１７１は不図示の前眼観察用照明光の波長（９７０ｎｍ）付近に感度を持つものである。また、光路３５３には、不図示のイメージスプリットプリズムが配置されており、被検眼Ｅに対する光学ヘッド１０００のｚ方向の距離を、前眼観察画像中のスプリット像として検出することができる。
【００２１】
光路３５１は、ＯＣＴ光学系を成しており、被検眼Ｅの眼底Ｅｒの眼底断層画像データを撮像するためのものである。より具体的には、光路３５１は、眼底断層画像データを形成するための干渉信号を得るものである。１３４は、光を眼底上で走査するためのＸＹスキャナである。ＸＹスキャナ１３４は、一枚のミラーとして図示してあるが、ＸＹ２軸方向の走査を行うものである。１３５−５及び１３５−６はレンズであり、そのうちのレンズ１３５−５は、光カプラ１３１に接続されているファイバ１３１−２から出射する光源１０１からの光を眼底Ｅｒ上に合焦調整をするために不図示のモータによって駆動される。この合焦調整によって、眼底Ｅｒからの光は同時にファイバ１３１−２先端にスポット状に結像されて入射されることとなる。
【００２２】
次に、光源１０１からの光路、参照光学系及び分光器の構成について説明する。図１（ｂ）において、１０１は光源である。１３２−４はミラーである。１１５は分散補償用ガラスである。１３１は光カプラである。１３１−１〜１３１−４は光カプラに接続されて一体化しているシングルモードの光ファイバである。１３５−７はレンズである。１８０は分光器である。
【００２３】
以上の構成によって、マイケルソン干渉系が構成される。光源１０１から出射された光は、光ファイバ１３１−１を通じ、光カプラ１３１を介して光ファイバ１３１−２側の測定光と光ファイバ１３１−３の参照光とに分割される。測定光は、上述したＯＣＴ光学系光路を通じ、観察対象である被検眼Ｅの眼底Ｅｒに照射され、網膜による反射や散乱により同じ光路を通じて光カプラ１３１に到達する。
【００２４】
一方、参照光は、光ファイバ１３１−３、レンズ１３５−７、及び、測定光と参照光の分散を合わせるために挿入された分散補償ガラス１１５を介してミラー１３２−４に到達し、反射する。そして、反射した光は同じ光路を戻り、光カプラ１３１に到達する。
【００２５】
光カプラ１３１により測定光と参照光とが合波し、干渉光となる。ここで、測定光の光路長と参照光の光路長とがほぼ同一となったときに干渉が生じる。ミラー１３２−４は、不図示のモータ及び駆動機構によって光軸方向に調整可能に保持され、被検眼Ｅによって変わる測定光の光路長に参照光の光路長を合わせることが可能である。干渉光は、光ファイバ１３１−４を介して分光器１８０に導かれる。
【００２６】
１３９−１は、光ファイバ１３１−２中に設けられた測定光側の偏光調整部である。１３９−２は、光ファイバ１３１−３中に設けられた参照光側の偏光調整部である。これらの偏光調整部は、光ファイバをループ状に引き回した部分を幾つか持ち、このループ状の部分をファイバの長手方向を中心として回動させることでファイバに捩じりを加えることにより、測定光と参照光との偏光状態を各々調整して合わせることが可能である。なお、本実施形態では、予め測定光と参照光との偏光状態が調整されて固定されているものとする。
【００２７】
分光器１８０は、レンズ１３５−８、レンズ１３５−９、回折格子１８１及びラインセンサ１８２から構成される。光ファイバ１３１−４から出射された干渉光は、レンズ１３５−８を介して略平行光となった後、回折格子１８１で分光され、レンズ１３５−９によりラインセンサ１８２に結像される。
【００２８】
次に、光源１０１について説明する。光源１０１は、代表的な低コヒーレント光源であるＳＬＤ（Super Luminescent Diode）である。中心波長は８５５ｎｍであり、波長バンド幅は約１００ｎｍである。ここで、バンド幅は、得られる断層像の光軸方向の分解能に影響するため、重要なパラメータである。また、光源の種類は、ここではＳＬＤを選択したが、低コヒーレント光が出射できればよく、ＡＳＥ（Amplified Spontaneous Emission）等も用いることができる。中心波長は眼を測定することを鑑みると、近赤外光が適する。また、中心波長は得られる断層像の横方向の分解能に影響するため、なるべく短波長であることが望ましい。双方の理由から中心波長を８５５ｎｍとした。
【００２９】
本実施形態では、干渉計としてマイケルソン干渉計を用いたが、マッハツェンダー干渉計を用いてもよい。測定光と参照光との光量差が大きい場合にはマッハツェンダー干渉計を用い、光量差が比較的小さい場合にはマイケルソン干渉計を用いることが好ましい。
【００３０】
次に、本実施形態に係る眼科装置１００による被検眼Ｅの撮像処理について説明する。先ず、検者は、眼科装置１００の前に患者を着座させ、被検眼Ｅの眼底Ｅｒの表面を示す眼底平面画像データの撮影を開始する。光源３１６を射出した光は、リングスリット３１２によってリング状の光束となり、孔あきミラー３０３によって反射され、被検眼Ｅの眼底Ｅｒを照明する。眼底Ｅｒからの反射光束は孔あきミラー３０３を通過し、眼底観察用ＣＣＤ１７２へと結像される。ＣＣＤ制御部１０２は、眼底観察用ＣＣＤ１７２にて結像された眼底Ｅｒの反射光に基づいて眼底平面画像データを生成し、コンピュータ１００３に送信する。
ここで、ＯＣＴ光学系で得られた断層画像データは、深さ方向の情報を有しているが、眼底平面上のどの位置の断層かが分かりにくいという問題がある。網膜の断層画像データによって網膜の疾病を発見しても、それが眼底平面のどの位置か正確に知らなければ適切な治療を行うことは難しい。そのため、眼底平面を示す眼底平面画像データを取得可能なように構成されている。例えば、眼底カメラとＯＣＴ光学系とを組み合わせた装置や、走査型レーザ検眼鏡（ＳＬＯ）とＯＣＴ光学系とを組み合わせたものが知られている。このような眼科装置では、眼底平面画像データ上に断層画像データをオーバレイ表示することによって、眼底平面上のどの位置の断層画像データか識別可能なように構成されている。
なお、ＯＣＴ光学系に眼底の二次元画像取得用の光学系を組み合わせた場合、複数の撮影光源や光学系が必要となるため、装置の価格が上昇してしまう。このため、眼底の二次元画像取得用の光学系を用いずに、ＯＣＴ光学系で得られた断層画像データを用いて、後述する疑似的な平面画像データを眼底の二次元画像として取得しても良い。
【００３１】
次に、眼科装置１００は、ＸＹスキャナ１３４を制御することにより、被検眼Ｅの眼底Ｅｒの断層を示す眼底断層画像データを撮像する。光源１０１から射出した光は、光ファイバ１３１−１を通過し、光カプラ１３１にて被検眼Ｅに向かう測定光と参照ミラー１３２−４に向かう参照光とに分けられる。
【００３２】
被検眼Ｅに向かう測定光は、光ファイバ１３１−２を通過し、ファイバ端から射出され、ＸＹスキャナ１３４に入射する。ＸＹスキャナ１３４により偏向された測定光は、光学系１３５−１を経由して被検眼Ｅの眼底Ｅｒを照射する。そして、被検眼Ｅで反射した反射光は、逆の経路を辿って光カプラ１３１に戻される。
【００３３】
一方、参照ミラーに向かう参照光は、光ファイバ１３１−３を通過し、ファイバ端から射出され、コリメート光学系１３５−７及び分散補償光学系１１５を通して参照ミラー１３２−４に到達する。参照ミラー１３２−４で反射された参照光は、逆の経路を辿って光カプラ１３１に戻される。
【００３４】
光カプラ１３１に戻ってきた測定光と参照光とは相互に干渉し、干渉光となって光ファイバ１３１−４に入射し、光学系１３５−８により略平行化され、回折格子１８１に入射する。回折格子１８１に入力された干渉光は、結像レンズ１３５−９によってラインセンサ１８２に結像し、被検眼Ｅの眼底Ｅｒ上の一点における干渉信号を得ることができる。
【００３５】
ラインセンサ１８２で取得されたコンピュータ１００３に出力され、波数変換処理及び高速フーリエ変換（ＦＦＴ）処理が行われ、被検眼Ｅの眼底Ｅｒ上の一点における深さ方向の眼底断層画像データ（Ａスキャン情報）として可視化される。
【００３６】
被検眼Ｅの眼底Ｅｒ上の一点における眼底断層画像データを取得した後、眼科装置１００はＸＹスキャナ１３４をＸ方向に駆動し、被検眼Ｅの眼底Ｅｒ上の別の一点の干渉光を発生させる。当該別の一点の干渉光は、ラインセンサ１８２を経由し、被検眼Ｅの眼底Ｅｒ上の別の一点における深さ方向の眼底断層画像データとして形成される。このＸＹスキャナ１３４のＸ方向の駆動を連続して行うことにより、被検眼Ｅの眼底Ｅｒの水平方向の一枚の眼底断層画像データ（Ｂスキャン情報）を生成することができる。
【００３７】
そして、ＸＹスキャナ１３４をＹ方向に一定量駆動した後、上述したＸ方向の走査を再び行うことにより、被検眼Ｅの眼底Ｅｒ上の別のＹ方向位置における眼底断層画像データを生成することができる。このようなＸＹスキャナ１３４のＹ方向駆動を繰り返すことにより、眼底Ｅｒの所定の範囲をカバーする複数枚の眼底断層画像データが生成される。なお、光学ヘッド１０００は、眼科撮影装置の例となる構成であり、コンピュータ１００３は、画像処理装置の例となる構成である。
【００３８】
（強度画像データの生成方法）
次に、生成された複数の眼底断層画像データから網膜の擬似的な平面画像データ（強度画像データ）を生成する処理について説明する。上述したように、Ａスキャン情報は、被検眼Ｅの眼底Ｅｒ上の一点（Ａｉ）における深さ方向の眼底断層画像データであり、図２に示すように、深さ方向の複数の輝度情報から構成されている。例えば、眼科装置１００では、２０４８の画素を持つラインセンサ１８２を用いており、ＦＦＴ後のＡスキャン情報Ａｉは１１７６個の輝度情報から構成されている。図２において、Ｐ０は、深さ方向の一番浅い部分の輝度情報を示しており、Ｐ１１７５は、深さ方向の一番深い部分の輝度情報を示している。
【００３９】
従来の光干渉断層撮影装置は、このＡスキャン情報Ａｉの全て又は一部の輝度情報を加算平均することにより、被検眼Ｅの眼底Ｅｒ上の一点における強度情報を得ている。ここで、従来、Ａスキャン情報Ａｉの方向は、測定光の方向と一致しており、眼底断層画像データの深さ方向に対して常に垂直方向である。そして、全てのＡスキャン情報に対して強度情報を決定することにより、眼底Ｅの異なる１点１点における強度情報を得ることができる。それらの強度情報を二次元画像データとして再構成することにより、網膜全体の強度情報である強度画像データを得ることができる。
【００４０】
ところで、従来の強度画像データ生成処理では、Ａスキャン情報Ａｉの方向に輝度情報を統合することで強度情報を得ているが、この方法では最適な強度情報を得られない場合がある。以下、図３及び図４を参照しながら、そのことについて説明する。
【００４１】
（網膜が水平である場合の強度画像データ）
図３は、眼底断層画像データ上で網膜が水平に形成されている場合（眼底断層画像データ上で網膜の傾きがほとんどない場合）に生成される強度画像データの例を示す図である。被検眼Ｅの状態が安定しており、白内障や被検眼Ｅの混濁の影響も少ない場合、網膜が眼底断層画像データＴ上で略水平になるように撮影を行うことができる。そして、眼底断層画像データＴの輝度情報を、Ａスキャン情報と同じ方向である眼底断層画像データＴの深さ方向Ｖに統合することにより、強度画像データＩを生成する。ここで得られた強度画像データＩは、高品質で歪みも少なく、距離や大きさの計測にも適した画像データである。例えば、眼底断層画像データＴ上で指定した視神経乳頭辺縁から黄斑中心までの距離ｄは、強度画像データＩ上でも距離ｄとして示され、診断に有用な情報として利用することができる。
【００４２】
（網膜が水平から傾いている場合の強度画像データ）
一方、図４は、図３と同じ被検眼Ｅを撮影した例を示しており、眼底断層画像データＴ´の水平方向に対して網膜が傾いて形成されている場合に生成される強度画像データの例を示す図である。例えば、被検眼Ｅに白内障や混濁が見られる場合、撮影者はそれらの混濁を避けて測定光を網膜に入射させるよう光学ヘッド１０００の位置を調整する。そのため、測定光は被検眼Ｅに対してオフセットされた位置から入射され、結果として、眼底断層画像データＴ´の水平方向に対して網膜が傾いて形成されることになる。また、被検眼Ｅの位置が安定していない場合や被検眼Ｅそのものが傾いている場合にも、このように傾いた網膜が見られることがある。
【００４３】
このように、眼底断層画像データＴ´の水平方向に対して網膜が傾いている場合、眼底断層画像データＴ´の輝度情報を、Ａスキャン情報と同じ方向である眼底断層画像データＴ´の深さ方向Ｖに統合すると、網膜に対して斜め方向に輝度情報を統合することになる。このようにして得られた強度画像データＩ´は、本来の強度画像データＩとは異なり、不鮮明な画像データになってしまう。
【００４４】
また、眼底断層画像データＴ´の水平方向に対して網膜が傾いている場合、眼底断層画像データＴ´上に形成される網膜の範囲が変化するため、生成される強度画像データＩ´にも歪みが生じてしまう。例えば、眼底断層画像データＴ´上で指定した視神経乳頭辺縁から黄斑中心までの距離ｄ´は、同じ被検眼Ｅを正面から撮影した図３に示す距離ｄとは明らかに異なる距離として計測されてしまう。このような計測値のバラつきは、複数の検査間で病変部の大きさを比較する際に問題となる可能性がある。
【００４５】
（第１の実施形態における強度画像データの生成方法）
そこで、本実施形態では、網膜に対して略垂直方向に眼底断層画像データの輝度情報を統合することにより、強度画像データを生成する。以下にその方法について、図５乃至図７を参照しながら説明する。図５は、コンピュータ１００３の処理を示すフローチャートである。なお、図５に示す処理は、コンピュータ１００３内において、ＣＰＵがＲＯＭやＨＤＤ等の記録媒体に記録された必要なプログラムやデータを読み出して実行することにより実現する処理である。
【００４６】
ステップＳ１０１において、コンピュータ１００３は、光学ヘッド１０００により撮影された眼底画像データを取得する。ステップＳ１０２において、コンピュータ１００３は、図６（ａ）に示すように、眼底断層画像データの水平方向に対する網膜の傾きを示す情報（以下、単に「網膜の傾き」と称す）ＶＲを測定する。網膜は複数の層構造で構成されており、網膜の傾きＶＲは、それらの層形状や層境界の何れか一つ以上を用いて測定することが望ましい。本実施形態では、中心窩における網膜色素上皮（ＲＰＥ）とその下面に存在するブルッフ膜（ＢＭ）との形状に基づいて網膜の傾きＶＲを測定する。
【００４７】
また、正常眼では、ブルッフ膜及び網膜色素上皮は同じ形状を持つため、どちらを用いて網膜の傾きＶＲを決定してもよい。しかし、加齢黄斑変性等の疾病が見られる場合、網膜色素上皮やその他の網膜層は本来の形状から変形していることが多い。そのため、網膜に疾病が存在する場合、ブルッフ膜を用いて網膜の傾きＶＲを決定することが望ましい。ステップＳ１０３において、コンピュータ１００３は、決定した網膜の傾きＶＲに基づいて、網膜に対して垂直な方向を強度画像データの生成方向Ｖ´として決定する。
【００４８】
なお、図６（ｂ）に示すように、中心窩以外の場所で強度画像データの生成方向Ｖ１〜Ｖ３を決定してもよい。例えば、眼科装置１００は、網膜の各部位において、それぞれの網膜の傾きＶＲを求め、各網膜の部位の傾きＶＲに基づいて、各網膜の部位に対して略垂直方向に強度画像データの生成方向Ｖ１〜Ｖ３を決定する。また、傾きを示す情報ＶＲは、断層画像データにおける所定の層の深さ方向の位置関係に基づいて決定されても良い。具体的には、断層画像データにおける高輝度層の端のＺ座標（深さ方向の座標）の差分に基づいて決定されても良い。
【００４９】
ステップＳ１０４において、コンピュータ１００３は、図７に示すように、決定された強度画像データの生成方向Ｖ´（又は、Ｖ１〜Ｖ３）に沿って眼底断層画像データＴ´上の各輝度情報を加算平均し、強度画像データＩ´´を生成する。ここで得られた強度画像データＩ´´は、図３に示した適切な強度画像データＩとほぼ同じ見た目を持つ。強度画像データＩ´´は歪みも少ないため、例えば眼底断層画像データＴ´上における視神経乳頭辺縁から黄斑中心までの距離ｄ´´は、図３の距離ｄとほぼ同じ距離として計測される。そのため、眼底断層画像データＴ´上での網膜の傾きに関わらず、適切な強度画像データを生成することができる。
【００５０】
（眼底断層画像データ上の領域を強度画像データに投影）
さらに、眼科装置１００は、眼底断層画像データ上で設定した領域を強度画像データ上に重ねて表示することが可能である。以下、図８を参照しながら、その方法について説明する。
【００５１】
先ず、眼科装置１００は、眼底断層画像データＴ´´を解析し、病変領域Ｄを特定する。図８は、網膜色素上皮の下側に新生血管が発生した例を示しており、眼科装置１００は、この新生血管に侵された病変領域Ｄを判定する。なお、この病変領域Ｄは新生血管に限るものではなく、ドルーゼンや浮腫等、他の病変を病変領域Ｄとして判定することもできるし、病変以外の構造物や領域を病変領域Ｄとして設定することもできる。また、病変領域Ｄは操作者が手動で領域を指定することによって設定することも可能である。
【００５２】
次に、眼科装置１００は、設定された病変領域Ｄをブルッフ膜の傾きに対して略垂直方向の生成方向Ｖ´´に沿って強度画像データＩ´´´上に重ねて投影し、モニタ１００５上に表示する。この強度画像データＩ´´´は、網膜の傾きに伴う歪みが少ないため、医師は病変領域Ｄがオーバレイされた強度画像データＩ´´を観察することにより、病変の形状及び大きさを正しく認識し、診断に利用することが可能である。
【００５３】
なお、本実施形態では、被検眼Ｅの眼底Ｅｒの眼底断層画像データに基づいて網膜の強度画像データを生成しているが、被検眼Ｅの前眼部の断層を示す前眼部断層画像データに基づいて、前眼部の強度画像データを生成してもよい。この場合、前眼部断層画像データに形成された角膜や水晶体に基づいて、前眼部断層画像データにおける前眼部の傾きを測定し、当該前眼部に対して略垂直方向に強度画像データの生成方向（輝度情報の統合方向）を決定すればよい。
【００５４】
＜第２の実施形態＞
次に、本発明の第２の実施形態について説明する。なお、第２の実施形態に係る眼科装置は、図１に示した第１の実施形態に係る眼科装置の構成と同様であるため、以下の説明においても図１の符号を用いるものとする。また、第２の実施形態に係る眼科装置の撮影方法は、第１の実施形態と同様であり、強度画像データの生成方法のみが異なる。
【００５５】
第２の実施形態では、視神経乳頭（Ｄｉｓｃ）の形状に基づいて強度画像データの生成方向を決定する。図９は、眼科装置１００で視神経乳頭周辺の網膜を撮影した眼底断層画像データを示す図である。網膜色素上皮（ＲＰＥ）は視神経乳頭（Ｄｉｓｃ）の部位において存在が消失することが知られており、眼底断層画像データ内には網膜色素上皮（ＲＰＥ）の２つの端点が現れる。眼科装置１００は、この２つのＲＰＥ端点を各眼底断層画像データ上で検出し、それらのＲＰＥ端点同士を接合することで視神経乳頭（Ｄｉｓｃ）の形状及び大きさｄｄを測定することができる。さらに、視神経乳頭の形状から、視神経乳頭陥凹（Ｃｕｐ）の形状及び大きさｄｃを求めることもできる。
【００５６】
次に、眼科装置１００は、検出した２のＲＰＥ端点を結ぶ直線に対して略垂直方向に、強度画像データの生成方向Ｖｄを決定する。そして、眼科装置１００は、生成方向Ｖｄに沿って眼底断層画像データ上の輝度情報を加算平均し、強度画像データを生成する。
【００５７】
また、眼科装置１００は、図１０に示すように、検出した視神経乳頭（Ｄｉｓｃ）と視神経乳頭陥凹（Ｃｕｐ）との形状を生成方向Ｖｄに沿って強度画像データ上に重ねて投影し、モニタ１００５に表示する。医師は歪みの少ない視神経乳頭部の強度画像データで、視神経乳頭の形状及び大きさを観察することができる。
【００５８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015033397.tif 000003
【図２】
2015033397.tif 000004
【図３】
2015033397.tif 000005
【図４】
2015033397.tif 000006
【図５】
2015033397.tif 000007
【図６】
2015033397.tif 000008
【図７】
2015033397.tif 000009
【図８】
2015033397.tif 000010
【図９】
2015033397.tif 000011
【図１０】
2015033397.tif 000012